(57)【要約】【課題】使用者を入眠状態から良好に覚醒させるのに有利な照明式覚醒装置および建築構造物を提供する。【解決手段】照明式覚醒装置１は、使用者が入眠する室内に設けられ光を発光可能な照明器２と、照明器２を点灯させる照明器作動手段３とを備えている。照明器２作動手段は、室内の側壁Ｍ１もしくはベッド４に設けられた光反射性をもつ光反射部材５、または、室内の側壁Ｍ１自体に、照明器２から発光された光を反射させて生成した間接光により使用者の入眠状態からの覚醒を促進させる。【選択図】図１
2008010274.tif 000002
【特許請求の範囲】
【請求項１】
使用者が入眠する室内に設けられ光を発光可能な照明器と、前記照明器を点灯させる照明器作動手段とを具備しており、
前記照明器作動手段は、前記室内の側壁もしくは室内のベッドに設けられた光反射性をもつ光反射部材、または、前記室内の前記側壁自体に、前記照明器から発光された光を反射させて生成した間接光により、使用者の入眠状態からの覚醒を促進させることを特徴とする照明式覚醒装置。
【請求項２】
請求項１において、前記光反射部材および前記照明器の光源のうちの少なくとも一方を振動可能、移動可能、回転可能または傾動可能とするアクチュエータが当該一方に付設されていることを特徴とする照明式覚醒装置。
【請求項３】
請求項１または２において、前記光反射部材は、前記ベッドのヘッド部側に設けられていることを特徴とする照明式覚醒装置。
【請求項４】
請求項１〜３のうちの一項において、前記光反射部材は、前記ベッドのヘッド部側において高さ位置調整に取り付けられていることを特徴とする照明式覚醒装置。
【請求項５】
請求項１〜４のうちの一項において、前記光反射部材は、前記ベッドのヘッド部に配置され反射により前記間接光を生成する光反射面をもつ意匠部品であることを特徴とする照明式覚醒装置。
【請求項６】
請求項１〜５のうちの一項において、前記ベッドは前記ベッドの少なくとも一部を起伏させる起伏駆動部を備えており、前記照明器作動手段は、使用者を入眠状態から覚醒させるとき、前記起伏駆動部を作動させて前記ベッドの少なくとも一部を動作させることを特徴とする照明式覚醒装置。
【請求項７】
請求項１〜６のうちの一項において、前記光反射部材は、光を乱反射させる乱反射性をもつ乱反射部をもつことを特徴とする照明式覚醒装置。
【請求項８】
請求項１〜７のうちの一項において、前記照明器は、前記光反射部材または室内の前記側壁に光を当てて側方間接光を生成する第１光源と、光を前記室内の天井壁に当てて天井間接光を生成する第２光源とを備えており、
前記照明器作動手段は、（ａ）使用者を入眠状態から覚醒させるとき、前記第１光源を作動させて前記第１光源の光を前記光反射部材または室内の前記側壁に当てて側方間接光を生成する第１覚醒操作と、（ｂ）前記第２光源を作動させて前記第２光源の光を前記天井壁に当てて天井間接光を生成する第２覚醒操作とを実施することを特徴とする照明式覚醒装置。
【請求項９】
請求項８において、前記照明器作動手段は、前記第２覚醒操作を実施した後に、前記第１覚醒操作を実施するか、あるいは、前記第１覚醒操作を実施した後に前記第２覚醒操作を実施することを特徴とする照明式覚醒装置。
【請求項１０】
請求項１〜９のうちの一項において、前記照明器は、前記光反射部材または前記側壁で反射して生成された間接光を使用者の入眠場所において入射させる複数の目標位置を切り替え可能に設定されていることを特徴とする照明式覚醒装置。
【請求項１１】
請求項１０のうちの一項において、前記照明器は、複数の光源をもち、前記複数の光源のうち所定の光源を選択して点灯させることにより、前記目標位置を切り替え可能に設定されていることを特徴とする照明式覚醒装置。
【請求項１２】
請求項１０のうちの一項において、前記照明器は、光源の向きを変更することにより光の方向を変更する照明器用駆動部をもち、前記照明器用駆動部を駆動させて前記光源から発光される光の方向を変更することにより、前記目標位置を切り替え可能に設定されていることを特徴とする照明式覚醒装置。
【請求項１３】
請求項１〜１２のうちの一項において、前記照明器作動手段は、使用者を入眠状態から覚醒させるとき、前記照明器の光量を時間経過につれて増加させることにより、前記間接光の光量を増加させることを特徴とする照明式覚醒装置。
【請求項１４】
請求項１〜１２のうちの一項において、前記照明器作動手段は、使用者を入眠状態から覚醒させるとき、前記照明器の光量の増加および減少を繰り返すことにより、前記間接光の光量の増加および減少を繰り返すことを特徴とする照明式覚醒装置。
【請求項１５】
請求項１〜１４のうちの一項において、音響を生成する音響発生要素が設けられており、前記照明器作動手段は、使用者を入眠状態から覚醒させるとき、前記間接光の生成と共に、前記音響発生要素を作動させて音響を生成させることを特徴とする照明式覚醒装置。
【請求項１６】
請求項１〜１５のうちの一項において、香気を生成する香気発生要素が設けられており、前記照明器作動手段は、使用者を入眠状態から覚醒させるとき、前記間接光の生成と共に、前記香気発生要素を作動させて香気を生成させることを特徴とする照明式覚醒装置。
【請求項１７】
請求項１〜１６のうちの一項において、前記照明器作動手段は、使用者を覚醒状態から入眠状態に到達させるとき、前記照明器の光量を時間経過につれて減少させることにより、前記間接光の光量を減少させることを特徴とする照明式覚醒装置。
【請求項１８】
請求項１〜１７のうちの一項において、前記照明器は、前記照明器から発光させる光の色温度を変更可能に設けられており、前記照明器作動手段は、使用者を入眠状態から覚醒させるとき、使用者を入眠させるときよりも覚醒に適する色温度をもつ色を設定することを特徴とする照明式覚醒装置。
【請求項１９】
請求項１〜１７のうちの一項において、前記照明器は、前記照明器から発光させる光の色温度を変更可能に設けられており、前記照明器作動手段は、使用者を入眠状態から覚醒させるとき、使用者を入眠させるときよりも覚醒に適する色温度をもつ色を設定すると共に、時間経過につれて色温度を変化させることを特徴とする照明式覚醒装置。
【請求項２０】
請求項１８または１９において、前記照明器作動手段は、使用者を覚醒状態から入眠させるとき、使用者を覚醒させるときよりも入眠に適する色温度をもつ色を設定することを特徴とする照明式覚醒装置。
【請求項２１】
使用者が入眠する室内に設けられ光を発光可能な照明器と、前記照明器を点灯させる照明器作動手段とを具備しており、
前記照明器作動手段は、前記照明器から発光された光、または、その光を反射させて生成させた光を揺動させることを特徴とする照明式覚醒装置。
【請求項２２】
請求項２１において、前記揺動は、光の照度の強弱の繰返し、光の輝度の強弱の繰返し、光の色相の変化の繰返し、光の光路の変位の繰返しのうちの少なくとも一つであることを特徴とする照明式覚醒装置。
【請求項２３】
請求項２１または２２において、前記照明器作動手段は、使用者を入眠状態から覚醒させるとき、前記照明器の光量の増加および減少を繰り返すことにより、前記照明器から発光された光の光量、または、その光を反射させて生成させた間接光の光量の増加および減少を繰り返すことを特徴とする照明式覚醒装置。
【請求項２４】
請求項１〜２３のうちの一項において、前記照明器作動手段は、使用者を入眠状態から覚醒させるとき、前記照明器から発光される光の点滅を繰返すことを特徴とする照明式覚醒装置。
【請求項２５】
請求項１〜２４のうちの一項において、前記照明器作動手段は、使用者を入眠状態から覚醒させるとき、前記照明器の光源に対して振動、移動、揺動、傾動のうちの少なくとも一つの動作をさせることを特徴とする照明式覚醒装置。
【請求項２６】
請求項１〜２５のうちの一項において、前記照明器は、所定のパターン形状に複数の光源を並設して形成された光源群をもち、前記光源群を構成する各光源を順に点滅させることを特徴とする照明式覚醒装置。
【請求項２７】
使用者が入眠する室内と前記室内に設けられた照明式覚醒装置とをもつ建築構造物において、
前記照明式覚醒装置は、請求項１〜２６のうちのいずれかで構成されていることを特徴とする建築構造物。
【発明の詳細な説明】
【技術分野】
【０００１】
本発明は使用者を入眠状態から覚醒させるのに適する照明式覚醒装置および建築構造物に関する。
【背景技術】
【０００２】
特許文献１には、ベッドのへッドボードの内部照明灯の光をヘッドボードの窓開口から放つことで、ベッドのへッドボード周辺を薄暗く照らす技術が開示されている。このものによれば、へッドボードの内部に配置した照明灯からの光は、ヘッドボードの窓開口から放たれ、室内を薄暗く照らすため、就寝者の就寝を妨げないとされている。特許文献２には、光量を無段階または段階的に調整可能な照明式覚醒装置と、この照明式覚醒装置に光量を漸増させる信号発生装置と、信号発生装置および目覚まし音発生装置をそれぞれ設定された時刻に起動させるタイマー装置とを有する照明併用式目覚まし時計が開示されている。このものによれば、ベッドに入眠している使用者に、照明式覚醒装置から直接照射される直接光を当てることにしている。特許文献３には、設定時刻になると、室内照明式覚醒装置の照明を徐々に明るくさせる調光機能を有する目覚まし装置が開示されている。室内照明式覚醒装置は室内の天井壁に取り付けられているものであると考えられる。
【特許文献１】実開平６−６４５５７号公報
【特許文献２】実開平４−９６０９５号公報
【特許文献３】特開２００３−２１５２７９号公報
【発明の開示】
【発明が解決しようとする課題】
【０００３】
ところで、特許文献１の技術は、就寝を妨げないように、ベッドのへッドボードの内部に配置した照明灯からの光を、ヘッドボードの窓開口を薄暗く放すだけであり、光を利用して使用者を入眠状態から積極的に覚醒させる技術を開示しているものではない。特許文献２の技術は、使用者を入眠状態から覚醒させることができるもの、ベッドに入眠している使用者に照明式覚醒装置から直接光を当てることにしている。このため、使用者に当てられる光は、照明式覚醒装置から直接的に発光される眩しい直接光であり、入眠者に対しては刺激が強い。このため、快適な目覚めには限界がある。特許文献３の技術は、室内照明式覚醒装置は室内の天井壁に取り付けられているものであると考えられる。このような特許文献３の技術は、室内の側壁で反射した間接光を利用するものでも、光反射部材で反射した間接光を利用するものでもない。本発明は上記した従来の覚醒用照明装を更に技術的に進めたものであり、使用者を入眠状態から良好に覚醒させるのに有利な照明式覚醒装置および建築構造物を提供することを課題とする。
【課題を解決するための手段】
【０００４】
様相１に係る照明式覚醒装置は、使用者が入眠する室内に設けられ光を発光可能な照明器と、照明器を点灯させる照明器作動手段とを具備しており、照明器作動手段は、室内の側壁もしくは室内のベッドに設けられた光反射性をもつ光反射部材、または、室内の側壁自体に、照明器から発光された光を反射させて生成した間接光により、使用者の入眠状態からの覚醒を促進させることを特徴とする。覚醒とは、使用者の目が覚めている状態をいう。間接光は、光源から発光された光を他の部材に少なくとも一度反射させた反射後の光をいう。このような間接光は、光源から発光された直接光に比較して、柔らかい光といえる。本発明によれば、間接光を利用することにより、入眠状態からの覚醒を行う。このため、直接光による眩しさが軽減され、眩しさに起因する不快感が軽減される。ひいては入眠状態からの覚醒を良好に行うことができる。光反射部材としては、光反射性をもつものであれば何でも良く、金属（例えば鋼系、ステンレス鋼、銅系、アルミ系、チタン系、亜鉛系、スズ系、金系、銀系）、セラミックス（例えばアルミナ、シリカ、ジルコニア、炭化ケイ素）、樹脂（例えば熱硬化樹脂、熱可塑性樹脂）、織物、不織布等で形成できる。樹脂、織物、不織布、皮革等は、鏡面と異なり、柔らかい間接光を生成できる。光反射面としては、物理的成膜手段、化学的成膜手段などによる成膜で形成されていても良い。光反射面の反射率を高める為には、鏡面が例示される。光反射面の反射率を低くする為には、樹脂面、織物面、皮革面が例示される。
【０００５】
本様相によれば、間接光は、室内の側壁もしくはベッドに設けられた光反射部材で反射させることにより、または、室内の側壁で反射させることにより得られる。室内の天井壁は、就寝中の使用者に対して側壁よりも遠い位置にある。これに対して、室内の側壁は、天井壁よりも、就寝中の使用者に近い。このため、天井壁で反射した間接光を用いて人を覚醒させる場合に比較して、間接光の過剰散乱が抑制され、使用者を覚醒させ易く、更に、近くで就寝している使用者に対しても影響が少ない。殊に、光反射部材が用いられるときには、光反射部材を使用者の好みに応じて選択できる。選択した光反射部材を室内の側壁あるいはベッドに取り付ける作業は、高さが高い天井壁の場合に比較して容易である利点が得られる。また、間接光を室内の側壁自体で生成させるときであっても、天井壁の下側に繋がる側壁の表出面については、高さが高い天井壁の場合に比較して、間接光を生成する光反射に適するように後処理し易い。このため使用者の好みに応じて側壁の表出面を後処理でき、使用者の好みに応じて覚醒用の間接光を生成させ易い。
【０００６】
様相２に係る照明式覚醒装置によれば、上記様相において、光反射部材および照明器の光源のうちの少なくとも一方を振動可能、移動可能、回転可能、傾動可能とするアクチュエータが当該一方に設けられていることを特徴とする。この場合、アクチュエータが作動すると、光反射部材または照明器が振動、移動または傾動するため、柔らかい間接光といえども、刺激性を高めることができ、覚醒効果を高めることができる。なお、間接光の刺激性が要請されないときには、アクチュエータを停止させれば良い。アクチュエータとしては、モータ、超音波振動子、電磁ソレノイド等が例示される。
【０００７】
様相３に係る照明式覚醒装置によれば、上記様相において、照明器は、光反射部材または室内の前記側壁に光を当てて側方間接光を生成する第１光源と、光を前記室内の天井壁に当てて天井間接光を生成する第２光源とを備えており、照明器作動手段は、（ａ）使用者を入眠状態から覚醒させるとき、第１光源を作動させて第１光源の光を光反射部材または室内の側壁に当てて側方間接光を生成する第１覚醒操作と、（ｂ）第２光源を作動させて第２光源の光を天井壁に当てて天井間接光を生成する第２覚醒操作とを実施することを特徴とする。
【０００８】
本様相によれば、照明器は、光反射部材または側壁に光を当てて間接光を生成する第１光源と、光を室内の天井壁に当てて天井間接光を生成する第２光源とを備えている。従って、照明器は、第２光源の天井間接光により室内全体を薄暗い状態で照らす照明機能をもつと共に、使用者の頭または顔面付近を第１光源からの側方間接光により部分的に照らす照明機能とを備えている。本様相によれば、側方間接光は、使用者の頭付近または顔面付近を局所的に照らす。このため、隣の使用者が存在するときであっても、隣の使用者に影響をあまり与えることなく、入眠前の読書を行うことができる。このように本様相によれば、単数の照明器で、第２光源による室内の薄暗い天井照明と、第１光源による入眠・覚醒用のスポット的な照明とを兼用することができる。更に本様相によれば、照明器を側壁に取り付ければ、側方間接光用の第１光源と、天井間接光用の第２光源とをまとめて取り付けることができ、作業性、施工性に優れている。
【０００９】
様相４に係る照明式覚醒装置によれば、上記様相において、照明器作動手段は、第２覚醒操作を実施した後に第１覚醒操作を実施するか、あるいは、第１覚醒操作を実施した後に第２覚醒操作を実施することを特徴とする。第２覚醒操作を実施した後に第１覚醒操作を実施する場合には、第２光源の光を室内の天井壁に当てて天井間接光を生成して、天井間接光により室内の広い面積を薄明かり状態として、予備的に覚醒させる。その後、第１光源の光を側壁の光反射部材または側壁自体に当てて間接光を生成させる。このため使用者の入眠状態からの覚醒を徐々に行うことができる。また、第１覚醒操作を実施した後に第２覚醒操作を実施する場合には、第１光源の光を光反射部材または側壁に光を当てて側方間接光を生成させる。その後、第２光源の光を室内の天井壁に当てて天井間接光を生成して、天井間接光により室内の広い面積を明るくする。このため使用者の入眠状態からの覚醒を徐々に行うことができる。
【００１０】
様相５に係る照明式覚醒装置によれば、上記様相において、照明器は、光反射部材または側壁で反射して生成された間接光を使用者の入眠場所において入射させる複数の目標位置を切り替え可能に設定されていることを特徴とする。この場合、目標位置は異なる場所に設定されている。このため、複数の目標位置のうち特定の目標位置に間接光を入射させる。よって、複数の使用者が室内で入眠しているときであっても、他の人に間接光を影響させないようにできる。これにより他の使用者に影響を与えることなく、使用者毎に覚醒させることができる。
【００１１】
様相６に係る照明式覚醒装置は、使用者が入眠する室内に設けられ光を発光可能な照明器と、照明器を点灯させる照明器作動手段とを具備しており、照明器作動手段は、照明器から発光された光またはその光を反射させて生成させた光を揺動させることを特徴とする。ここで、揺動とは、光の照度の強弱の繰返し、光の輝度の強弱の繰返し、光の色相の変化の繰返し、光の光路の変位の繰返しのうちの少なくとも一つであることを意味する。これにより光源から直接発光される直接光よりも柔らかい間接光といえども、覚醒させる光の刺激性が高くなり、覚醒しにくい使用者であっても、覚醒させ易くなる。
【００１２】
様相７に係る照明式覚醒装置によれば、上記した様相において、照明器作動手段は、使用者を入眠状態から覚醒させるとき、照明器の光量の増加および減少を繰り返すことにより、照明器から発光された光の光量、または、その光を反射させて生成させた間接光の光量の増加および減少を繰り返すことを特徴とする。これにより間接光といえども、覚醒させる光の刺激性が高くなり、覚醒しにくい使用者であっても、覚醒させ易くなる。
【００１３】
様相８に係る照明式覚醒装置によれば、上記した様相において、照明器作動手段は、使用者を入眠状態から覚醒させるとき、照明器から発光される光の点滅を繰返すことを特徴とする。これにより覚醒させる光の刺激性が高くなり、覚醒しにくい使用者であっても、覚醒させ易くなる。
【００１４】
様相９に係る照明式覚醒装置によれば、上記した様相において、照明器作動手段は、使用者を入眠状態から覚醒させるとき、照明器の光源に対して振動、移動、揺動、傾動のうちの少なくとも一つの動作をさせることを特徴とする。これにより覚醒させる光の刺激性が高くなり、覚醒しにくい使用者であっても、覚醒させ易くなる。この場合、使用者の顔面付近に当たる光が、就寝中の使用者の肩幅に沿った方向よりも、使用者の身長方向に沿って変位するように、光源に対して振動、移動、揺動または傾動させることができる。この場合、覚醒させる使用者の横方で就寝している他の使用者に対する影響が抑えられる。
【００１５】
様相１０に係る照明式覚醒装置によれば、上記した様相において、照明器は、所定のパターン形状に複数の光源を並設して形成された光源群をもち、光源群を構成する光源を順に点滅させることを特徴とする。点滅により覚醒光の刺激性が高くなり、覚醒しにくい使用者であっても、覚醒させ易くなる。所定のパターン形状としては、円周状、同心円状、楕円状、直線状、四角状、三角状などのいずれかが採用できる。
【００１６】
様相１１に係る建築構造物は、使用者が入眠する室内と前記室内に設けられた照明式覚醒装置とをもつ建築構造物において、照明式覚醒装置は、上記した様相のいずれかで構成されていることを特徴とする。建築構造物としては、一般家屋、ユニット住宅、ビル、マンションが例示される。間接光は、直接光に比較して柔らかい光といえる。入眠状態からの覚醒を間接光により行う。このため眩しさによる不快感が軽減され、入眠状態からの覚醒を良好に行うことができる。間接光は、室内の側壁に設けられた光反射性をもつ光反射部材、または、室内の側壁により得られる。天井壁は側壁よりも遠いが、側壁は天井壁よりも入眠中の使用者に近い。このため、このため、天井壁で反射した間接光を用いて覚醒させる場合に比較して、間接光の過剰散乱が抑制され、使用者を覚醒させ易いし、近くで就寝している使用者に対しても影響が少ない。殊に、光反射部材が用いられるときには、光反射部材を使用者の好みに応じて選択できる。更に、選択した光反射部材を室内の側壁に取り付ける作業は、天井壁の場合に比較して容易である利点が得られる。また、間接光を室内の側壁自体で生成させるときであっても、天井壁の下側に繋がる側壁については、高さが高い天井壁の場合よりも、間接光を生成する光反射に適するように後処理し易いため、使用者の好みに応じて後処理し易い。  
【発明の効果】
【００１７】
本発明によれば、使用者を入眠状態から良好に覚醒させることができる。
【発明を実施するための最良の形態】
【００１８】
照明式覚醒装置は、使用者が入眠する室内に設けられ光を発光可能な照明器と、照明器作動手段とを備えている。照明器作動手段は、室内の側壁もしくはベッドに設けられた光反射部材、または側壁自体に、照明器から発光された光を反射させることにより間接光を生成し、その間接光により、使用者の入眠状態からの覚醒を促進させる。光反射部材としては、ベッドのヘッド部側（就寝者の頭側）に取り付けられている形態が例示される。この場合、使用者の頭部はベッドのヘッド部接近しているため、使用者の頭部の顔面付近に間接光を当て易く、覚醒効果を高め易い。また、光反射部材としては、使用者が横たわるベッドのヘッド部側において高さ位置調整可能に取り付けられており、反射により間接光を生成する光反射面をもつ形態が例示される。この場合、使用者の頭部はベッドのヘッド部側に接近するため、他の就寝者に影響を与えることを抑えつつ、使用者の顔面付近に間接光を当て易く、覚醒効果を高め易い。
【００１９】
また、光反射部材としては、使用者が横たわるベッドのヘッド部に着脱可能または着脱不能に配置され間接光を生成する光反射面をもつ意匠部品である形態が例示される。意匠部品としては、工芸品、工業製品、天然物等が例示される。具体的には、皿、置物、置き時計、掛け軸、鏡体、ガラス体、天然石等が例示される。また、ベッドはベッドの少なくとも一部を起伏させる起伏駆動部を備えており、照明器作動手段は、使用者を入眠状態から覚醒させるとき、間接光の生成と共に、起伏駆動部を作動させてベッドの少なくとも一部を動作させる形態が例示される。この場合、間接光の生成と共に、ベッドの少なくとも一部が動作するため、使用者を入眠状態から覚醒させ易い。本明細書では、『使用者を入眠状態から覚醒させるとき』とは、間接光により使用者を入眠状態から覚醒させるにあたり、間接光を生成している途中、間接光を生成する直前、間接光を消した直後のうちのいずれか少なくとも一つの時期が例示される。光反射部材としては、光を乱反射させて乱反射性をもつ乱反射部をもつ形態が例示される。乱反射した間接光は刺激性をもつため、間接光といえども刺激性が高まり、入眠状態から覚醒させ易い。光反射部材としては、間接光が進行するにつれて間接光の照明断面積を小さくさせる光集束性を高める曲面を有する形態が例示される。間接光を集束させれば、間接光の照度が高まり、間接光により入眠状態から覚醒させ易い。
【００２０】
照明器は、光反射部材または側壁に光を当てて側方間接光を生成する第１光源と、光を室内の天井壁に当てて天井間接光を生成する第２光源とを備えている形態が例示される。この場合、照明器を室内の側壁に取り付ければ、側方間接光用の第１光源と、天井間接光用の第２光源とを同時に取り付けることができ、施工性に優れている。ここで、好ましくは、照明器作動手段は、第１光源を作動させて第１光源の光を光反射部材または側壁に当てて側方間接光を生成する第１覚醒操作と、第２光源を作動させて第２光源の光を天井壁に当てて天井間接光を生成する第２覚醒操作とを実施して、使用者を覚醒させることができる。この場合、使用者の入眠状態からの覚醒を徐々に行うことができる。また、照明器作動手段は、第２覚醒操作の後で第１覚醒操作を実施することができる。この場合においても、使用者の入眠状態からの覚醒を徐々に行うことができる。また、照明器作動手段は、第１覚醒操作および第２覚醒操作を同時に実施させて、使用者を覚醒させることができる。この場合、使用者覚醒を早期に行うことができる。
【００２１】
照明器としては、光反射部材または側壁で反射して生成された間接光を使用者の入眠場所において入射させる複数の目標位置を切り替え可能に設定されている形態が例示される。照明器としては、光源の向きを変更することにより光の方向を変更する照明器用駆動部をもち、照明器用駆動部を駆動させて光源から発光される光の方向を変更することにより、間接光で照らす目標位置を切り替え可能に設定されている形態が例示される。照明器は、複数の光源をもち、複数の光源のうち所定の光源を選択して点灯させることにより、間接光で照らす目標位置を切り替え可能に設定されている形態が例示される。照明器作動手段は、使用者を入眠状態から覚醒させるとき、照明器の光量を時間経過につれて増加させることにより、間接光の光量を増加させる形態が例示される。照明器作動手段は、使用者を入眠状態から覚醒させるとき、照明器の光量の増加および減少を繰り返す形態が例示される。
【００２２】
音響を生成する音響発生要素が設けられており、照明器作動手段は、使用者を入眠状態から覚醒させるとき、間接光の生成と共に、音響発生要素を作動させて音響を生成させる形態が例示される。本明細書によれば、『間接光の生成と共に』とは、間接光の生成中の時刻、間接光の生成直前の時刻、間接光の生成直後の時刻のうちの少なくとも一つを含む意味である。直前、直後とは、間接光の生成開始瞬間の時刻に対して、例えば、少なくとも３０分前または後、少なくとも１０分前または後、少なくとも５分前または後などが挙げられる。間接光による覚醒と、音響による覚醒とが併用されるため、入眠状態から覚醒させ易い。間接光による覚醒処理の後、音響による覚醒処理を行うことが好ましい。この場合、間接光により使用者が覚醒すれば、音響を発生させずとも良くため、音響が他の就寝者に影響を与えることが抑えられる利点が得られる。なお、音響による覚醒処理を音響発生要素は、ベッドに設けられていても良いし、ベッド以外に設けられていても良い。
【００２３】
香気を生成する香気発生要素が設けられており、照明器作動手段は、使用者を入眠状態から覚醒させるとき、間接光の生成と共に、香気発生要素を作動させて香気を生成させる形態が例示される。この場合、間接光による覚醒と、香気よる覚醒とが併用されるため、入眠状態から覚醒させ易い。香気は、心地良い香気が好ましい。照明器作動手段は、使用者を入眠状態に到達させるとき、間接光の生成と共に照明器の光量を時間経過につれて減少させることにより、間接光の光量を減少させる形態が例示される。この場合、使用者を覚醒状態から入眠状態に移行させ易い。照明器は、照明器から発光させる光の色温度を変更可能に設けられており、照明器作動手段は、使用者を覚醒させるとき、使用者を入眠させるときよりも覚醒に適する色温度をもつ色を設定する形態が例示される。この場合、覚醒効果を高めることができる。また、照明器作動手段は、使用者を入眠させるとき、使用者を覚醒させるときよりも入眠に適する色温度をもつ色を設定する形態が例示される。この場合、入眠効果を高めることができる。
【実施例１】
【００２４】
以下、本発明の実施例１について図１〜図６を参照して説明する。本実施例に係る室内用の照明式覚醒装置１は、複数のベッドにそれぞれ就寝している使用者の入眠状態からの覚醒に対処する。図１および図２に示すように、照明式覚醒装置１は、使用者が入眠する室内に設けられ光を発光可能な照明器２と、照明器作動手段として機能する制御装置３とを備えている。なお、図１において、制御装置３はベッド４に装備されているが、これに例示であり、照明器２に装備されていても良い。室内には、複数のベッド４、つまり第１ベッド４１および第２ベッド４２が設置されている。第１ベッド４１および第２ベッド４２は、使用者が横たわるベッド本体４３と、使用者の頭部に対向するヘッド部４４とを備える。
【００２５】
室内の側壁Ｍ１のうち適切な高さ位置には、光反射部材５、つまり第１光反射部材５１および第２光反射部材５２が並設状態に着脱可能または着脱不能に取り付けられている。図２に示すように、第１光反射部材５１は、第１ベッド４１に就寝する使用者に使用されるものであり、第１ベッド４１に対向するように取り付けられている。第２光反射部材５２は、第２ベッド４２に就寝する使用者に使用されるものであり、第２ベッド４２に対向するように取り付けられている。ここで、第１ベッド４１に就寝する使用者の顔面付近（第１ベッド４１のヘッド部４４付近）が、間接光の第１目標位置Ｋ１となる。第２ベッド４２に就寝する使用者の顔面付近が、間接光の第２目標位置Ｋ２（第２ベッド４２のヘッド部４４付近）となる。
【００２６】
図１に示すように、照明器２は、室内の天井壁Ｍ２ではなく、側壁Ｍ１に取付アーム２０（取付手段）により取り付けられている。照明器２は、光反射部材５に光を当てて側方間接光２８を生成する第１光源２１と、天井壁Ｍ２に光を当てて天井間接光２７を生成する第２光源２２と、第１光源２１および第２光源２２を保持する保持部２４とを備えている。第１光源２１は、第１光源部２１ａと第１光源部２１ｂとで形成されている。第１光源部２１ａは、第１光反射部材５１に光を当てて側方間接光２８を形成し、その側方間接光２８を第１ベッド４１のヘッド部４４付近に当てる。第１光源部２１ｂは、第２光反射部材５２に光を当てて側方間接光２８を形成し、その側方間接光２８を第２ベッド４２のヘッド部４４付近に当てる。
【００２７】
第１光源２１（２１ａ，２１ｂ）からの光は、側方間接光２８として、ベッド４に横たわっている使用者の顔面付近をスポット的に照らすため、ベッド上での読書等に有効である。更に、第１光源２１（２１ａ，２１ｂ）から発光される直接光は、側壁Ｍ１を照らすように斜め方向に指向している。故に、第１光源２１（２１ａ，２１ｂ）の光は、ベッド４に横たわっている使用者の顔面付近を直接照らさないように設定されている。故に、直接光による眩しさ、眩しさによる不快感を与えることが抑えられている。第２光源２２は、第２光源部２２ａと第２光源部２２ｂとで形成されている。第２光源部２２ａは、天井壁Ｍ２のうち第１ベッド４１の上方側の壁に光を当てて天井間接光２７を形成する。第２光源部２２ｂは、天井壁Ｍ２のうち第２ベッド４２の上方側の壁に光を当てて天井間接光２７を形成する。このため照明器２を側壁Ｍ１に取り付ければ、側方間接光２８を生成する第１光源２１（２１ａ，２１ｂ）と、天井照明用の天井間接光２７を生成する第２光源２２（２２ａ，２２ｂ）との双方を同時に取り付けることができ、作業性および施工性に優れている。
【００２８】
第１光源２１および第２光源２２を制御するスイッチ手段としてのリモコンスイッチ装置７が設けられている。リモコンスイッチ装置７は、ベッド４に対して別離可能とされている。図４に示すように、リモコンスイッチ装置７は、第１ベッド４１用の第１スイッチ領域７ａと、第２ベッド４２用の第２スイッチ領域７ｂとをもつ。図４に示すように、第１スイッチ領域７ａは、第１光源部２１ａをオンオフさせるスイッチ７１と、第２光源部２２ａをオンオフさせるスイッチ７２と、第１ベッド４１の音響発生要素４７の作動を解除する音響解除スイッチ７３と、第１ベッド４１の香気発生要素４８の作動を解除する香気解除スイッチ７４と、第１ベッド４１に就寝する使用者の起床時刻を設定するスイッチ７５と、第１ベッド４１に就寝していた使用者が起きたときに起床を確認するために操作する起床確認スイッチ７６と、第１ベッド４１の使用者が入眠に入るときに操作する就寝スイッチ７７とをもつ。なお、第２スイッチ領域７ｂも第１スイッチ領域７ａと同様とされている。リモコンスイッチ装置７の各スイッチの操作信号は、制御装置３に入力される。
【００２９】
使用の際には、第１ベッド４１で就寝する使用者、第２ベッド４２で就寝する使用者は、それぞれの専用の起床時刻を、予め、個別にリモコンスイッチ装置７に設定しておく。制御装置３はタイマ機能をもつ。起床時刻に到達したら、入眠状態の使用者を覚醒させる覚醒制御を制御装置３は実行する。即ち、制御装置３は、起床時刻に到達したら、第１光源２１を作動させて第１光源２１（２１ａ，２１ｂ）の光を光反射部材５に当てて側方間接光２８を生成する覚醒操作を実施する。間接光は、光源から直接照射される直接光に比較して、柔らかい光といえる。このため、覚醒時において眩しさによる不快感が軽減され、入眠状態からの覚醒を良好に行うことができる。本例によれば、側方間接光２８は、室内の側壁Ｍ１に設けられた光反射性をもつ光反射部材５により得られる。ここで、天井壁Ｍ２は、入眠中の使用者から側壁Ｍ１よりも遠い位置にある。しかし、側壁Ｍ１は、天井壁Ｍ２よりも入眠中の使用者に近い位置にある。このため、側方間接光２８を用いて覚醒させる場合には、天井壁Ｍ２で反射した天井間接光２７を用いて覚醒させる場合に比較して、室内における間接光の過剰散乱が抑制され、使用者を覚醒させ易いし、近くで就寝している使用者に対しても影響が少ない利点が得られる。
【００３０】
ところで、本例によれば、室内の室の側壁Ｍ１に取り付けられる光反射部材５は、その光反射性、色、意匠などの間接光生成に関するパラメータを、使用者の好みに応じて選択することができる。しかも、高さが高い天井壁Ｍ２の下側に側壁Ｍ１は繋がっているため、高さが高い天井壁Ｍ２に光反射部材５を取り付ける場合に比較して、光反射部材５を側壁Ｍ１に容易に取り付けることができる利点が得られる。なお、使用者を覚醒させるとき、覚醒を徐々に行なせるためには、制御装置３は、照明器２の第１光源２１の光量を時間経過につれて次第に増加させ、側方間接光２８の光量を次第に増加させることが好ましい。但し場合によっては、側方間接光２８の光量を一定とすることもできる。
【００３１】
殊に本例によれば、入眠状態から覚醒させるに当たり、制御装置３は、先ず、第２光源２２を点灯作動させて第２光源２２の光を天井壁Ｍ２に当てて、天井間接光２７を生成する予備的な覚醒操作を実施する。その後、制御装置３は、第１光源２１を点灯作動させて第１光源２１の光を光反射部材５に光を当て、側方間接光２８を生成させ、その側方間接光２８をベッド４のヘッド部４４付近（即ち、ベッド４に寝ている使用者の顔面付近）に当てる。このため入眠状態からの覚醒を徐々に行うことができ、心地よい覚醒に貢献することができる。
【００３２】
本例によれば、照明器２は、光反射部材５で反射して生成された側方間接光２８を使用者の入眠場所において入射させる第１目標位置Ｋ１および第２目標位置Ｋ２に切り替え可能に設定されている。具体的には、第１ベッド４１に就寝している使用者を覚醒させるときには、前述したように、先ず、第２光源部２２ａを作動させて第２光源部２２ａの光を天井壁Ｍ２に当てて第１ベッド４１の上方に天井間接光２７を生成し、予備的な覚醒操作を実施する。その後、制御装置３は、第１光源部２１ａの光を第１光反射部材５１に光を当てて側方間接光２８を形成し、その側方間接光２８を第１ベッド４１のヘッド部４４付近、つまり第１目標位置Ｋ１（第１ベッド４１に就寝している使用者の顔面付近）に当てる。このため第１ベッド４１に就寝している使用者を覚醒させるときには、第２ベッド４２に就寝している使用者に与える影響を少なくすることができる。
【００３３】
また、第２ベッド４２に就寝している使用者を覚醒させるときには、前述したように、先ず、第２光源部２２ｂを作動させて第２光源部２２ｂの光を天井壁Ｍ２に当てて第２ベッド４２の上方に天井間接光２７を生成し、予備的な覚醒操作を実施する。その後、制御装置３は、第１光源部２１ｂの光を第２光反射部材５２に光を当てて側方間接光２８を形成し、その側方間接光２８を第２ベッド４２のヘッド部４４付近、つまり第２目標位置Ｋ２（第２ベッド４２に就寝している使用者の顔面付近）に当てる。このため第２ベッド４２に就寝している使用者を覚醒させるときには、第１ベッド４１に就寝している使用者に与える影響を少なくすることができる。本例によれば、照明器２は、第２光源２２により室内を薄暗い状態で照らす照明機能をもつと共に、第１ベッド４１上の使用者の顔付近および第２ベッド４２上の使用者の頭部、顔付近を第１光源２１からの側方間接光２８により部分的に照らす照明機能とを備えている。側方間接光２８は使用者の顔付近を局所的に照らすため、隣の使用者に影響をあまり与えることがない。故に、ベッド４上の使用者は、入眠前の読書を行うことができる。このように本例では、単数の照明器２で、室内全体の照明と、入眠・覚醒用の照明とを兼用することができる。本例によれば、覚醒用の音響を生成する音響発生要素４７が第１ベッド４１、第２ベッド４２に設けられている。制御装置３は、使用者を入眠状態から覚醒させるとき、上記した天井間接光２７および側方間接光２８の生成の他に、必要がある場合には、音響発生要素４７を作動させて覚醒用の音響（例えば、音楽、鳥の鳴き声、川の流れ音）を生成させることができる。この場合、間接光による覚醒と、音響による覚醒とが併用されるため、入眠状態から心地よく覚醒させ易い。
【００３４】
更に、香気を生成する香気発生要素４８が第１ベッド４１、第２ベッド４２に設けられている。制御装置３は、使用者を入眠状態から覚醒させるとき、必要がある場合には、間接光の生成と共に、香気発生要素４８を作動させて香気を生成させる。この場合、間接光による覚醒と、香気よる覚醒とが併用されるため、入眠状態から覚醒させ易い。香気は、心地良い香気が好ましい。間接光の他に、音響発生要素４７および香気発生要素４８の双方を併用しても良い。但し、音響の場合には、隣で就寝している使用者に音響が影響を与えるおそれがあるため、隣で就寝している使用者が存在するときには、音響解除スイッチ７３を操作しておき、音響を発生させない方が好ましい。香気の場合にも、隣で就寝している使用者に香気が影響を与えるおそれがあるときには、香気解除スイッチ７４を操作しておき、香気を発生させない方が好ましい。
【００３５】
本例によれば、照明器２の第１光源２１の光の色温度については、使用者を覚醒させるときに適する色彩となるように設定することが好ましい。つまり、第１光源２１の光の色温度は４５００Ｋ以上（４５００〜１１０００Ｋ、殊に５０００〜１１０００Ｋ）に設定されていることが好ましい。色温度が高いと、青白っぽい色となる。色温度が低いと、赤っぽい色となる。なお、図３は色温度と実際の色との関係を示す。上記したような色温度範囲に設定しておけば、高い覚醒効果が得られ、覚醒促進に貢献できる。照明器２の第２光源２２の光の色温度については、使用者を覚醒させるときに適する色彩となるように設定しても良いし、異なる色温度に設定しても良い。
【００３６】
図５および図６は、タイマ計測機能をもつ制御装置３が実行する代表的に制御形態のフローチャートを示す。図５は覚醒用のフローチャートを示す。覚醒用のフローチャートはこれに限定されるものではない。図５に示すように、現在時刻を読み込む（ステップＳ１０２）。次に現在時刻が起床時刻に相当するか否か判定する（ステップＳ１０４）。起床時間でなければ、メインルーチンにリターンする。現在時刻が起床時間に相当すれば、香気発生が解除されているか読み込み（ステップＳ１０６）。香気発生が解除されていなければ、香気発生要素４８を所定時間作動させる（ステップＳ１０８）。香気発生が解除されていれば、香気発生要素４８を非作動とする。次に、第２光源２２を点灯させ（ステップＳ１１０）、天井間接光を生成させる。次に、第２光源２２の光量をΔＬ１増加させる（ステップＳ１１２）。カウント回数Ｎを１増加させると共に、時間ΔＴ１待機する（ステップＳ１１４）。次に、カウント回数Ｎが覚醒用の所定回数ＮＡに到達したか否か判定する（ステップＳ１１６）。到達していなければ、ステップＳ１１２に戻る。このためカウント回数Ｎが覚醒用の所定回数ＮＡに到達するまで、第２光源２２の光量はΔＬ１ずつ、時間ΔＴ１毎に次第に増加する。この場合、第２光源２２の光量をΔＬ１ずつ増加させつつも、第２光源２２を点滅させて、覚醒効果を高めることにしても良い。
【００３７】
カウント回数Ｎが覚醒用の所定回数ＮＡに到達していれば、側方間接光２８を生成すべく、第１光源２１を点灯させると共に、カウント回数Ｎをキャンセルする（ステップＳ１１８）。第１光源２１の光量をΔＬ２増加させ、側方間接光２８の光量を増加させる（ステップＳ１２０）。カウント回数Ｎを１増加させると共に、時間ΔＴ２待機させる（ステップ１２２）。次に、カウント回数Ｎが覚醒用の所定回数ＮＢに到達したか否か判定する（ステップＳ１２４）。到達していなければ、ステップＳ１２０に戻る。このためカウント回数Ｎが覚醒用の所定回数ＮＢに到達するまで、第１光源２１の光量は、ΔＬ２ずつ、時間ΔＴ２毎に次第に増加する。これにより覚醒を徐々になし得る。この場合、第１光源２１の光量をΔＬ２ずつ増加させつつも、第１光源２１を点滅させて、覚醒効果を高めることにしても良い。ここまでの間接光により使用者が起床していれば、起床確認スイッチ７６が操作されるはずである。このため起床確認スイッチ７６の操作を待つべく、所定時間待機すると共に、カウント数Ｎをキャンセルする（ステップＳ１２６）。もし、所定時間経過しても、確認スイッチ７６が操作されていないときには、使用者は起床していないと推定される。そこで、起床確認スイッチ７６の操作状況を読み込み（ステップＳ１２８）、起床確認スイッチ７６が操作されているか否か、つまり、使用者が起床しているか否か判定する（ステップＳ１３０）。ここで、起床確認スイッチ７６が操作されているときには、使用者は起床していると推定される。起床していれば、メインルーチンにリターンする。これに対して、所定時間経過しても、起床確認スイッチ７６が操作されていないときには、起床していないと推定される。このように使用者が起床していないと推定されるとき、音響解除スイッチ７３が解除されていなければ（ステップＳ１３２のＮＯ）、音響発生要素４７を所定時間作動させて、覚醒を促進させる（ステップＳ１３４）。そしてメインルーチンにリターンする。
【００３８】
図６は使用者が入眠するときに制御装置３が実施する入眠用のフローチャートを示す。入眠用のフローチャートは図６に限られるものではない。図６に示すように、就寝スイッチ７７の操作状況を読み込む（ステップＳ４０２）。就寝スイッチ７７が操作されているか否かを判定する（ステップＳ４０４）。就寝スイッチ７７が操作されていれば、使用者は入眠を開始することになる。そこで、香気発生が解除されているか読み込み（ステップＳ４０６）。香気発生が解除されていなければ、香気発生要素４８を所定時間作動させる（ステップＳ４０８）。香気発生が解除されていれば、香気発生要素４８を非作動とする。次に、第１光源２１の光量をΔＬ３減少させる（ステップＳ４１０）。カウント回数Ｎを１増加させるとともに、時間ΔＴ３待機する（ステップＳ４１２）。カウント回数Ｎが就寝用の所定回数ＮＣに到達したか否か判定する（ステップＳ４１４）。到達していなければ、ステップＳ４１０に戻る。このためカウント回数Ｎが覚醒用の所定回数ＮＣに到達するまで、第１光源２１の光量は、ΔＬ３ずつ、時間ΔＴ３ごとに次第に減少する。カウント回数Ｎが覚醒用の所定回数ＮＣに到達していれば、第１光源２１をオフさせると共に、カウント回数Ｎをキャンセルする（ステップＳ４１６）。次に、天井間接光用の第２光源２２の光量をΔＬ４減少させる（ステップＳ４１８）。カウント回数Ｎを１増加させると共に、時間ΔＴ４待機する（ステップＳ４２０）。カウント回数Ｎが就寝用の所定回数ＮＤに到達したか否か判定する（ステップＳ４２２）。到達していなければ、ステップＳ４１８に戻る。このためカウント回数Ｎが覚醒用の所定回数ＮＤに到達するまで、第２光源２２の光量は、ΔＬ４ずつ、時間ΔＴ４ごとに減少する。カウント回数Ｎが覚醒用の所定回数ＮＤに到達していれば、第２光源２２をオフさせ（ステップＳ４２４）、メインルーチンにリターンする。このように間接光の光量を徐々に減少させるため、入眠を徐々になし得る。上記した制御は、ベッド４１の使用者、ベッド４２の使用者に対して個別に実行される。
【００３９】
ところで本例では、光反射部材５の表面形態は特に制限されない。光反射部材５の表面を波打ち形状することもできる。この場合、側方間接光２８を分散光とすることもでき、眩しい直接光による不快感を抑えるのに有利である。また必要に応じて、光反射部材５の表面を鏡面とすることもできる。この場合、光反射性を高め得る。また本例では、光反射部材５を振動可能または移動可能とするアクチュエータ５００が光反射部材５の裏面または内部などに付設されていても良い。この場合、アクチュエータ５００が作動すると、光反射部材５が振動または移動（所定距離の一方向移動または往復移動）するため、間接光の刺激性を高めることができ、覚醒効果を更に高めることができる。光反射部材５の移動方向としては、高さ方向、横方向のいずれでも良い。なお、光の刺激性があまり要請されないときには、アクチュエータ５００を停止させれば良い。このようにアクチュエータ５００は必ずしも必須ではなく、必要に応じて設けることができる。なお覚醒光を発光する第１光源２１を構成する第１光源部２１ａは、照明器２内において回転可能または傾動可能とされていても良い。同様に、第１光源部２１ｂも照明器２内において回転可能または傾動可能とされていても良い。これにより間接光といえども、刺激性を高めることができる。
【実施例２】
【００４０】
図７は実施例２を示す。本実施例は実施例１と基本的には同様の構成、作用効果を有する。この場合、第１光源部２１ａは、第１ベッド４１に寝ている使用者の顔面付近を照らす間接光を形成する。このような第１光源部２１ａは、入眠状態から覚醒させるのに適する覚醒用光源２４と、覚醒状態から入眠させるのに適する入眠用光源２５とを備えている。同様に、第１光源部２１ｂは、第２ベッド４２に寝ている使用者の顔面付近を照らす間接光を形成する。このような第１光源部２１ｂは、入眠状態から覚醒させるのに適する覚醒用光源２４と、覚醒状態から入眠させるのに適する入眠用光源２５とを備えている。覚醒用光源２４の光の色温度については、使用者を覚醒させるときに適する色彩（例えば、白色、昼光色、青白っぽい色）となるように設定されている。つまり、覚醒用光源２４の光の色温度は４５００Ｋ以上（Ｋ：ケルビン）（４５００Ｋ〜１１０００Ｋ、殊に５０００Ｋ〜１１０００Ｋ）に設定されている。このような色温度であれば、高い覚醒効果が得られ、覚醒促進に貢献できる。これに対して入眠用光源２５の光の色温度については、使用者を入眠させるときに適する色彩（例えば、赤っぽい色）となるように設定されている。つまり、入眠用光源２５の光の色温度は４５００Ｋ未満（４５００Ｋ未満〜１０００Ｋ）に設定されている。このような色温度であれば、高いリラックス効果が得られ、入眠促進に貢献できる。
【００４１】
本例によれば、制御装置３は、入眠状態の使用者を覚醒させるときには、第１光源部２１ａ，２１ｂにおいて、色温度が高い覚醒用光源２４を点灯（連続点灯する場合、点滅する場合、点灯しつつ輝度変化する場合、点灯しつつ照度変化する場合も含む）させるもの、色温度が低い入眠用光源２５を点灯させない。また制御装置３は、覚醒状態の使用者を入眠させるときには、第１光源部２１ａ，２１ｂにおいて、色温度が低い入眠用光源２５を点灯させるもの、色温度が高い覚醒用光源２４を点灯させない。なお、天井間接光２７を生成する第２光源２２についても、入眠状態から覚醒させるのに適する覚醒用光源２４と、覚醒状態から入眠せるのに適する入眠用光源２５とを備えていることにしても良い。
【実施例３】
【００４２】
図８は実施例３を示す。本実施例は実施例１と基本的には同様の構成、作用効果を有する。この場合、第１光源部２１ａは、第１ベッド４１に寝ている使用者の顔面付近を照らす間接光を、側壁Ｍ１の光反射部材５により形成する。このような第１光源部２１ａは、３つの原色の光源をもつ。つまり、第１光源部２１ａは、赤色の光を発光する赤色光源２５１と（第１単色光源）、緑色の光を発光する緑色光源２５２（第２単色光源）と、青色の光を発光する青色光源２５３（第３単色光源）とをもつ。第１光源部２１ｂは、第２ベッド４２に寝ている使用者の顔面付近を照らす光を、側壁Ｍ１の光反射部材５により形成する。このような第１光源部２１ｂは、同様に３つの原色の光源をもつ。つまり、第１光源部２１ｂは、赤色の光を発光する赤色光源２５１と（第１単色光源）、緑色の光を発光する緑色光源２５２（第２単色光源）と、青色の光を発光する青色光源２５３（第３単色光源）とをもつ。そして、使用者を入眠状態から覚醒させるときには、覚醒効果が高い色つまり色温度が高い色（即ち、青白っぽい色彩が強い光）を、第１光源部２１ａ，第１光源部２１ｂが生成するように、制御装置３は、赤色光源２５１と緑色光源２５２と青色光源２５３とを制御し、三原色の混合比を調整する。この場合にも、時間経過につれて光量を次第に増加させることができる。また、覚醒効果が高い色を連続点灯させても良い。あるいは、点滅を繰り返して刺激性を高めることにしても良い。
【００４３】
更に、覚醒効果を高めるために、覚醒させる光の色相を時間の経過につれて変化させるべく、制御装置３は、赤色光源２５１の赤色と緑色光源２５２の緑色と青色光源２５３の青色との三原色の混合比を、時間につれて変化させる指令を第１光源部２１ａおよび第１光源部２１ｂに出力することにしても良い。この場合、使用者を入眠状態から覚醒させるときに、時間の経過につれて、覚醒用の光の色相が順に変化するため、覚醒効果が高まる。また、制御装置３はタイマ機能を有するため、タイマ機能により季節を判別し、季節に応じた光となるように光の色相を変化させる指令を出力しても良い。
【００４４】
具体的には、制御装置３が現在の季節が夏季である判定するときには、涼しさを使用者に感じさせる色（例えば、青っぽい色）を覚醒光として生成させるように、三原色の混合比を調整する指令を第１光源部２１ａおよび第１光源部２１ｂに出力しても良い。また、制御装置３は、現在季節が冬季である判別するときには、暖かさを使用者に感じさせる色（例えば、赤っぽい色）を覚醒光として生成させるように、三原色の混合比を調整する指令を第１光源部２１ａおよび第１光源部２１ｂに出力しても良い。なお、第２光源部２２ａ，２２ｂについても同様である。これに対して使用者を覚醒状態から入眠させるときには、リラックス効果が高い色、つまり、色温度が低い色（即ち、赤っぽい色彩が強い光）を、第１光源部２１ａ，第１光源部２１ｂが生成するように、制御装置３は、赤色光源２５１と緑色光源２５２と青色光源２５３とを制御する。この場合にも、時間経過につれて光、量を次第に減少させることができる。
【００４５】
本例では、赤色光源２５１の赤光と緑色光源２５２の緑光と青色光源２５３の青光との混合形態により、使用者を覚醒させる適する色を任意に生成できる。このため、第１ベッド４１および第２ベッド４２に寝ている使用者の顔面付近を照らす側方間接光２８を覚醒に適する色に設定することができる。また、赤光と緑光と青光との混合形態により、覚醒している使用者を入眠させる適する色を任意に生成できる。このため、第１ベッド４１および第２ベッド４２に寝ている使用者の顔面付近を照らす側方間接光２８を覚醒に適する色に設定することができる。なお、第１光源部２１ａ，第１光源部２１ｂは、赤色の光を発光する赤色光源２５１と、青色の光を発光する青色光源２５３と、黄色の光を発光する黄色光源とをもつことにしても良い。
【実施例４】
【００４６】
図９は実施例４を示す。本実施例は実施例１と基本的には同様の構成、作用効果を有する。この場合、ベッド４のうち使用者の頭が位置するヘッド部４４には、高さ方向に延びるガイド部４６により昇降部４５が高さ位置が調整可能となるように、ベッド４の高さ方向に昇降可能に設けられている。ガイド部４６はベッド４に装備されている。昇降部４５はベッド４のヘッド部４４に内蔵されている収納室４４ｘに対して出し入れ可能に設けられている。ベッド４に装備されている昇降アクチュエータ４４ｍが駆動すると、昇降部４５は昇降する。昇降部４５の表出面側に光反射部材５が設けられている。使用者を入眠状態から覚醒させるにあたり、制御装置３は、第１光源２１を作動させて第１光源２１の光を昇降部４５の光反射部材５に当てて間接光を生成する覚醒操作を実施する。室内の状況に応じて昇降部４５の高さ位置を調整することができる。このため、光反射部材５の高さを調整でき、光反射部材５で生成する側方間接光２８の向き等を微調整することができる。更に、起床時刻になった後に所定時間経過しても、使用者が覚醒していないと推定されるときには、制御装置３は昇降アクチュエータ４４ｍを作動させて昇降部４５を所定の距離、所定時間、上下方向に振動させることを繰り返すことができる。これによりベッド４に寝ている使用者の顔面付近を照射する側方間接光２８を所定の振幅で振動（揺動）させることができる。この場合、熟睡者に対して覚醒効果を高め易い。刺激性を高めるため、光反射部材５の光反射率について、昇降方向において変化させても良い。昇降部４５の昇降につれて、光反射部材５のうち光反射率が異なる部位に光が順に当たるため、柔らかい間接光といえども、刺激性が向上する。
【実施例５】
【００４７】
図１０は実施例５を示す。本実施例は実施例１と基本的には同様の構成、作用効果を有する。この場合、ベッド４のうち使用者の頭が位置するヘッド部４４には、光反射部材として機能する意匠部品６が設置されている。意匠部品６は、ベッド４で就寝している使用者を覚醒させる側方間接光２８を生成する光反射面６０をもつ。使用者を入眠状態から覚醒させるにあたり、制御装置３は、第１光源２１を作動させて第１光源２１の光を昇降部４５の意匠部品６に当てて側方間接光２８を生成する覚醒操作を実施する。なお、室内の状況に応じて意匠部品６の位置を調整すれば、意匠部品６の光反射面６０の位置を調整できるため、光反射面６０で生成する間接光２８の向き等を調整することができる。図１１は意匠部品の一例を示す。意匠部品６は、基部６１と、光反射面６０をもつ可動部６２と、可動部６２を基部６１に対して揺動させる枢支部６３と、可動部６２を基部６１に対して昇降方向に案内するガイド部６４とを備えている。光反射面６０は凹曲面性をもち、第１光源２１の光が光反射面６０に入射するとき、その反射で生成された側方間接光２８が進行するにつれて照明断面積を小さくさせるように、側方間接光２８の光集束性を高めるように設定されている。この場合、ベッド４のヘッド付近を側方間接光２８で照らすとき、側方間接光２８の散乱を抑制することができ、使用者の顔面付近を集中して照らすことができる。従って、隣で就寝している使用者に影響を与えることが一層抑制される。
【実施例６】
【００４８】
図１２は実施例６を示す。本実施例は実施例１と基本的には同様の構成、作用効果を有する。この場合、側壁Ｍ１に取り付けられる光反射部材５Ｃは、鏡面をもつ板状またはシート状とされている。鏡面であるため、反射性が確保されている。なお、このような光反射部材５Ｃを振動または移動させるアクチュエータ５００（例えばモータ装置、超音波振動装置）を光反射部材５Ｃの裏面や内部に設けても良い。
【実施例７】
【００４９】
図１３は実施例７を示す。本実施例は実施例１と基本的には同様の構成、作用効果を有する。この場合、側壁Ｍ１に取り付けられる光反射部材５Ｄは、光を乱反射させて乱反射性をもつ凹凸で形成された乱反射部５２０をもつ。乱反射した間接光は、間接光のなかでも刺激性をもつため、入眠状態から覚醒させ易い。乱反射部５２０は、ベッド４の長さ方向に沿って乱反射性をもつことが好ましい。隣で就寝している人に対する影響を少なくできるためである。このような光反射部材５Ｄを振動または移動させるアクチュエータ５００（例えばモータ装置、超音波振動装置）を光反射部材５Ｄの裏面や内部設けても良い。側壁Ｍ１に取り付けられる光反射部材としては、乱反射性に富む光反射部材５Ｄと、乱反射性に富まない光反射部材とに、必要に応じて、交換することができる。従って、光刺激性を好まない使用者の場合には、乱反射性に富まない光反射部材を用いれば良い。
【実施例８】
【００５０】
図１４および図１５は実施例８を示す。本実施例は実施例１と基本的には同様の構成、作用効果を有する。この場合、ベッド４のベッド本体４３には、起伏可能なパネル状の起伏部４９（使用者の上半身に対向するパネル）が設けられている。起伏部４９を起伏させる起伏駆動部としての起伏アクチュエータ４９０と、起伏アクチュエータ４９０により起伏部４９を起伏作動させる作動機構４９２とがベッド本体４３に設けられている。覚醒に当たり、制御装置３は、実施例１と同様に、先ず、第２光源２２を作動させて第２光源２２の光を天井壁Ｍ２に当てて天井間接光２７を生成する覚醒操作を実施する。その後、制御装置３は、第１光源２１の光を光反射部材５に光を当て、ヘッド部４４付近に当てる側方間接光２８を生成させる。更に、所定時間経過しても覚醒が確認されないとき、制御装置３は、起伏アクチュエータ４９０の駆動回路に駆動信号を出力し、起伏アクチュエータ４９０を駆動させる。これにより作動機構４９２を作動させ、パネル状の起伏部４９を立起方向（矢印ｈ方向）に起伏させる。これにより間接光で覚醒しなかった使用者であっても、覚醒させることができる。起伏部４９が起伏するとき、使用者の顔面が光に近づくため、覚醒効果が更に高まるという相乗効果が期待される。なお、使用者が起床したら、起伏アクチュエータ４９０を逆動させてパネル状の起伏部４９を寝かせ、ベッド本体４３を平坦状にさせる。間接光の生成と共に起伏部４９を起伏させても良い。起伏前に、使用者の覚醒が確認されたときには、起伏部４９を起伏させないで済むため、起伏部４９を起伏させるための電気エネルギが節約される。
【実施例９】
【００５１】
図１６は実施例９を示す。本実施例は実施例１と基本的には同様の構成、作用効果を有する。この場合、側方間接光２８を生成させる第１光源２１は、第１ベッド４１と第２ベッド４２の双方に共通する共通の単一光源部をもつ。また天井間接光２７を生成させる第２光源２２は、第１ベッド４１と第２ベッド４２の双方に共通する共通の単一光源部をもつ。この場合、光源部の数を削減できる。そして、第１光源２１の向きを変更させる照明器用駆動部としての第１光源用アクチュエータ２１９が、照明器２には搭載されている。第１光源用アクチュエータ２１９が駆動すると、第１光源２１の向きが変更され、第１光源２１から発光される光の方向が変更される。第１ベッド４１に寝ている使用者を覚醒させるときには、制御装置３は、第１光源用アクチュエータ２１９を一方向に駆動させ、第１光源２１から発光される光の方向を変更させ、これにより第１ベッド４１側の第１目標位置Ｋ１に側方間接光２８を当てる。この場合、第１光源用アクチュエータ２１９の微小量の往復駆動を繰り返すことにより、第１光源２１から発光される光の方向を振動（揺動）させ、側方間接光２８といえども、これの刺激性を高め、覚醒効果を高めることにしても良い。また、第２ベッド４２に寝ている使用者を覚醒させるときには、制御装置３は、第１光源用アクチュエータ２１９を他方向に駆動させて第１光源２１から発光される光の方向を変更させ、これにより第２ベッド４２側の第２目標位置Ｋ２に側方間接光２８を当てる。このようにして共通の単一光源部により生成される間接光が照らす部位を、第１目標位置Ｋ１および第２目標位置Ｋ２に切り替えることができる。この場合においても、第１光源用アクチュエータ２１９の微小量の往復駆動を繰り返すことにより、第１光源２１から発光される光の方向を振動させる。このため、直接光よりも柔らかい側方間接光２８といえども、刺激性を高め、覚醒効果を高めることにしても良い。
【００５２】
図１６に示すように、第２光源２２の向きを変更させる照明器用駆動部としての第２光源用アクチュエータ２２９が、照明器２には搭載されている。ここで、第２光源用アクチュエータ２２９が駆動すると、第２光源２２の向きが変更され、第２光源２２からの光の方向が変更される。覚醒時に第２光源２２も使用する場合には、第１ベッド４１に寝ている使用者を覚醒させるとき、制御装置３は、第２光源用アクチュエータ２２９を一方向に駆動させて第２光源２２から発光される光の方向を変更させ、これにより第１ベッド４１側の上方に天井間接光２７を当てる。この場合においても、第２光源用アクチュエータ２２９の微小量の往復駆動を繰り返すことにより、第２光源２２から発光される光の方向を振動させて、天井間接光２７の刺激性を高めることにしても良い。また、第２ベッド４２に寝ている使用者を覚醒させるときには、制御装置３は、第２光源用アクチュエータ２２９を他方向に駆動させて第２光源２２から発光される光の方向を変更させ、これにより第２ベッド４２側の上方に天井間接光２７を当てる。この場合においても、第２光源用アクチュエータ２２９の微小量の往復駆動を繰り返すことにより、天井間接光２７の刺激性を高めることにしても良い。
【実施例１０】
【００５３】
図１７は実施例１０を示す。本実施例は実施例１と基本的には同様の構成、作用効果を有する。この場合、室内の側壁Ｍ１の表出面Ｍ１００は、光反射性に富むように処理されている。制御装置３は、第１光源２１を作動させて第１光源２１の光を側壁Ｍ１に当てて側方間接光２８を生成し、その側方間接光２８をベッド４のヘッド部４４付近に当てる。側壁Ｍ１において、第１光源２１の光が照射される部位を、使用者の好む光反射性を有するように処理しても良い。なお、必要に応じて、実施例１と同様に、光反射部材５を側壁Ｍ１に取り付けることにしても良い。
【実施例１１】
【００５４】
図１８は実施例１１を示す。本実施例は実施例１と基本的には同様の構成、作用効果を有する。この場合、室内にはベッド４が単数設置されており、この室内には単数の使用者が就寝する。入眠状態から覚醒させるに当たり、先ず、第２光源２２を点灯作動させて第２光源２２の光を天井壁Ｍ２に当てて、天井間接光２７を生成する予備的な覚醒操作を実施する。その後、第１光源２１を点灯作動させて第１光源２１の光を光反射部材５に光を当て、側方間接光２８を生成させ、その側方間接光２８をベッド４のヘッド部４４付近（即ち、ベッド４に寝ている使用者の顔面付近）に当てる。このため入眠状態からの覚醒を徐々に行うことができ、心地よい覚醒に貢献することができる。
【実施例１２】
【００５５】
図１９は実施例１２を示す。本実施例は実施例１と基本的には同様の構成、作用効果を有する。この場合、室内には大型のサイズのベッド４Ｂが設置されており、このベッド４Ｂには複数の使用者（３使用者）が就寝する。室内の側壁Ｍ１のうち適切な高さ位置には、光反射部材５、つまり第１光反射部材５１、第２光反射部材５２、第３光反射部材５３が取り付けられている。第１光反射部材５１は、ベッド４Ｂに就寝する第１使用者Ｐ１に使用されるものであり、第１使用者Ｐ１に対向するように取り付けられている。第２光反射部材５２は、ベッド４Ｂに就寝する第２使用者Ｐ２に使用されるものであり、第２使用者Ｐ２に対向するように取り付けられている。第３光反射部材５３は、ベッド４に就寝する第３使用者Ｐ３に使用されるものであり、第３使用者Ｐ３に対向するように取り付けられている。ここで、第１使用者Ｐ１の顔面付近が第１目標位置Ｋ１となる。第２使用者Ｐ２の顔面付近が第２目標位置Ｋ２となる。第３使用者Ｐ３の顔面付近が第３目標位置Ｋ３となる。図１９に示すように、覚醒用の間接光を生成する第１光源２１は、第１光反射部材５１に光を当てて間接光を形成し、その間接光を第１使用者Ｐ１付近に当てる第１光源部２１ａと、第２光反射部材５２に光を当てて間接光を形成し、その間接光を第２使用者Ｐ２付近に当てる第１光源部２１ｂと、第３光反射部材５３に光を当てて間接光を形成し、その間接光を第３使用者Ｐ３付近に当てる第３光源部２１ｃで形成されている。
【００５６】
第２光源２２は、天井壁Ｍ２のうち第１使用者Ｐ１の上方の壁に光を当てて天井間接光２７を形成する第２光源部２２ａと、天井壁Ｍ２のうち第２使用者Ｐ２の上方側の壁に光を当てて天井間接光２７を形成する第２光源部２２ｂと、天井壁Ｍ２のうち第３使用者Ｐ３の上方側の壁に光を当てて天井間接光２７を形成する第２光源２２ｃとで形成されている。ベッド４Ｂに就寝している第１使用者Ｐ１を覚醒させるときには、先ず、第２光源部２２ａを作動させて第２光源部２２ａの光を天井壁Ｍ２に当てて天井間接光２７を生成し、予備的な覚醒操作を実施する。その後、制御装置３は、第１光源部２１ａの光を第１光反射部材５１に光を当てて側方間接光２８を形成し、その側方間接光２８を第１使用者Ｐ１の顔面付近、つまり第１目標位置Ｋ１に当てる。また、第２使用者Ｐ２を覚醒させるときには、先ず、第２光源部２２ｂを作動させて第２光源部２２ｂの光を天井壁Ｍ２に当てて天井間接光２７を生成し、予備的な覚醒操作を実施する。その後、制御装置３は、第１光源部２１ｂの光を第２光反射部材５２に光を当てて間接光を形成し、その間接光を第２使用者Ｐ２の顔面付近、つまり第２目標位置Ｋ２に当てる。また、第３使用者Ｐ３を覚醒させるときには、先ず、第２光源２２ｃを作動させて第２光源２２ｃの光を天井壁Ｍ２に当てて天井間接光２７を生成し、予備的な覚醒操作を実施する。その後、制御装置３は、第１光源２１ｃの光を第３光反射部材５３に光を当てて間接光を形成し、その間接光を第３使用者Ｐ３の顔面付近、つまり第３目標位置Ｋ３に当てる。このため、室内に複数の使用者が就寝しているときであっても、就寝している複数の使用者を個別に覚醒させることができる。なお第１光反射部材５１、第２光反射部材５２、第３光反射部材５３を一体化させても良い。
【実施例１３】
【００５７】
図２０は実施例１３を示す。照明器２は、第１光源２１の第１光源部２１ａ，２１ｂを個別に矢印Ｓ１方向に往復移動させるアクチュエータ２１８ａが設けられている。第１目標位置Ｋ１に側方間接光２８を当て、第１ベッド４１の使用者を覚醒させるときには、アクチュエータ２１８ａが作動して第１光源部２１ａを矢印Ｓ１方向に往復移動させる。すると、第１光源部２１ａからの光が矢印Ｓ２方向に往復移動する。この結果、反射部材５で反射して生成された側方間接光２８は、第１ベッド４１の使用者の顔面付近を矢印Ｓ３方向に沿って往復移動する。顔面付近だけでなく、上半身付近を照らしても良い。光を点滅させつつ照らしても良い。矢印Ｓ１，Ｓ２，Ｓ３方向は、第１ベッド４１に就寝している使用者の身長方向に相当する。即ち、使用者の身長方向における光の移動量をＥ１とし、使用者の身長方向に交差する方向における光の移動量をＥ２とすると、Ｅ１はＥ２よりも大きく設定されている（Ｅ１＞Ｅ２）。このため、第２ベッド４２に就寝している人に影響を与えることが抑えられる。なお、第２ベッド４２の使用者を覚醒させるときには、アクチュエータ２１８ｂが作動して第１光源部２１ｂを矢印Ｓ１方向に同様に往復移動させる。アクチュエータ２１８ａ，２１８ｂを設けること，Ｅ１＞Ｅ２関係に設定することは、他の実施例についても適用できる。
【実施例１４】
【００５８】
図２１は実施例１４に係る照明式覚醒装置の要部を示す。照明器２は、所定のパターン形状に複数の光源２１ｘを並設して形成された光源群２１ｙをもつ。使用者を覚醒させるとき、光源群２１ｙの各光源２１ｘを周方向に沿って順に点滅させることを繰返す。この場合、直接光よりも柔らかい間接光といえども、覚醒させる光の刺激性が高くなり、覚醒しにくい使用者であっても、覚醒させ易くなる。所定のパターン形状としては、図２１（Ａ）に示すように、仮想線状の円軌跡２６１、２６２、２６３の同心円が採用されており、同心円状の円軌跡２６１、２６２、２６３に沿って光が周方向に沿って繰り返して移動する。図２１（Ｂ）に示すように四角状が採用される。図２１（Ｃ）に示すように直線状が採用される。光源２１ｘの色としては、覚醒効果を高めるため、色温度が高いものを採用することができる。なお、本発明は上記し且つ図面に示した実施例のみに限定されるものではなく、要旨を逸脱しない範囲内で適宜変更して実施できる。上記した実施例１では、第１光反射部材５１および第２光反射部材５２が個別に設けられているが、第１光反射部材５１および第２光反射部材５２を一体化しても良い。更に実施例１では、照明式覚醒装置１は、使用者の顔面付近に間接光で照らす第１光源２１と、天井壁Ｍ２に光を当てる第２光源２２とを備えているが、これに限らず、天井壁Ｍ２に光を当てる第２光源２２を廃止しても良い。実施例１では、天井壁Ｍ２に光を当てる第２光源２２により第２覚醒操作を実施した後、第１光源２１を点灯させて使用者の顔面付近に側方間接光２８で照らすことにしているが、これに限らず、使用者の就寝中において、第２光源２２を連続的に薄明かり状態で点灯しておき、薄明かり状態の天井間接光２７を生成しておいても良い。
【００５９】
覚醒用の音響を生成する音響発生要素４７、香気を生成する香気発生要素４８が第１ベッド４１、第２ベッド４２に設けられているが、これに限らず、照明器２側に設けられていても良く、他の部位でも良い。実施例１では、入眠状態の使用者を覚醒させるときの制御と、覚醒状態の使用者を入眠させるときの制御との双方を実施するが、これに限らず、入眠状態の使用者を覚醒させるときの制御のみとしても良い。実施例１では、音響発生要素４７および香気発生要素４８がベッド４に設けられているが、これに限らず、設けられていなくても良い。制御装置３は、ベッド４上の使用者を覚醒させるものであるが、これに限らず、畳み、床面に横たわる使用者を覚醒させることにしても良い。
【００６０】
ある実施例に特有の構造については、その構造をもたない他の実施例にも適用することができる。例えば、各実施例において、光を点滅させても良い。各実施例において、アクチュエータで光反射部材５を振動、移動、回転または傾動させつつ、光の光路を変位させることにより光を揺動させて使用者を覚醒させても良いし、あるいは、光の照度、光の輝度、光の色相等といった物理的パラメータを時間経過につれて変化させて覚醒効果を高めても良い。上記した記載から次の技術的思想も把握できる。
【００６１】
付記項１．使用者が入眠する室内に設けられ光を発光可能な照明器と、前記照明器を点灯させる照明器作動手段とを具備しており、前記照明器作動手段は、前記室内に設けられた光反射性をもつ光反射部材に、前記照明器から発光された光を反射させて生成した間接光により、使用者の入眠状態からの覚醒を促進させることを特徴とする照明式覚醒装置。この場合、間接光であるため、使用者を快適に覚醒させるに適する。
【００６２】
付記項２．使用者が入眠する室内に設けられ光を発光可能な照明器と、前記照明器を点灯させる照明器作動手段とを具備しており、前記照明器作動手段は、前記照明器から発光された光またはその光を反射させて生成させた光を、就寝している使用者の身長方向（上半身）に沿って移動させることを特徴とする照明式覚醒装置。
【産業上の利用可能性】
【００６３】
本発明は入眠している使用者を覚醒させるに適する照明式覚醒装置、建築構造物に利用できる。
【図面の簡単な説明】
【００６４】
【図１】実施例１に係り、使用状態を示す側面図である。
【図２】実施例１に係り、使用状態を示す正面図である。
【図３】色温度と実際の色との関係を示す図である。
【図４】リモコンスイッチ装置の平面図である。
【図５】覚醒処理のフローチャートである。
【図６】入眠処理のフローチャートである。
【図７】実施例２に係り、第１光源および第２光源の形態を示す構成図である。
【図８】実施例３に係り、第１光源および第２光源の形態を示す構成図である。
【図９】実施例４に係り、使用状態を示す側面図である。
【図１０】実施例５に係り、使用状態を示す側面図である。
【図１１】実施例５に係り、使用状態を示す側面図である。
【図１２】実施例６に係り、光反射部材の正面図である。
【図１３】実施例７に係り、光反射部材の正面図である。
【図１４】実施例８に係り、使用状態を示す側面図である。
【図１５】実施例８に係り、使用状態を示す側面図である。
【図１６】実施例９に係り、使用状態を示す正面図である。
【図１７】実施例１０に係り、使用状態を示す側面図である。
【図１８】実施例１１に係り、使用状態を示す正面図である。
【図１９】実施例１２に係り、使用状態を示す正面図である。
【図２０】実施例１３に係り、使用状態を示す側面図である。
【図２１】実施例１４に係り、照明器の光源を示す構成図である。
【符号の説明】
【００６５】
Ｍ１は側壁、Ｍ２は天井壁、１は照明式覚醒装置  ２は照明器、２１は第１光源、２２は第２光源、２７は天井間接光、２８は側方間接光、２１９は第１光源用アクチュエータ（照明器用駆動部）、３は制御装置（照明器作動手段）、４はベッド、４１は第１ベッド、４２は第２ベッド、４４ｍは昇降アクチュエータ、４５は昇降部、４７は音響発生要素、４８は香気発生要素、４９０は起伏アクチュエータ（起伏駆動部）、４９２は作動機構、５は光反射部材、５１は第１光反射部材、５２は第２光反射部材、５２０は乱反射部、５３は第３光反射部材、６は意匠部品、６０は光反射面、７はリモコンスイッチ装置を示す。
【図１】
2008010274.tif 000003
【図２】
2008010274.tif 000004
【図３】
2008010274.tif 000005
【図４】
2008010274.tif 000006
【図５】
2008010274.tif 000007
【図６】
2008010274.tif 000008
【図７】
2008010274.tif 000009
【図８】
2008010274.tif 000010
【図９】
2008010274.tif 000011
【図１０】
2008010274.tif 000012
【図１１】
2008010274.tif 000013
【図１２】
2008010274.tif 000014
【図１３】
2008010274.tif 000015
【図１４】
2008010274.tif 000016
【図１５】
2008010274.tif 000017
【図１６】
2008010274.tif 000018
【図１７】
2008010274.tif 000019
【図１８】
2008010274.tif 000020
【図１９】
2008010274.tif 000021
【図２０】
2008010274.tif 000022
【図２１】
2008010274.tif 000023